(57)【要約】【課題】建物の縦空間における環境情報を効率的に計測することのできるエレベータの環境監視システムを提供する。【解決手段】エレベータ２の乗りかご１１に計測装置１５を設置しておき、乗りかご１１の昇降動作に伴い、建物の高さ方向の環境情報を測定する。この計測装置１５によって得られた環境情報は制御装置１８に記録された後、テールコード２０を介して主制御装置２１に伝送される。主制御装置２１では、この環境情報を階床別に分析処理し、異常が検出された際に警報を発するなどの処理を行う。【選択図】      図２
2007137606.tif 000002
【特許請求の範囲】
【請求項１】
建物内の昇降路を昇降動作する乗りかごと、
この乗りかごにロープを介して連結され、上記乗りかごの昇降動作に連動して上記昇降路内を移動する釣合い錘と、
上記乗りかごまたは上記釣合い錘に設置され、上記乗りかごの昇降動作に伴い、上記建物の高さ方向の環境情報を計測する計測手段と、
この計測手段によって得られる環境情報を階床別に分析処理する処理手段と
を具備したことを特徴とするエレベータの環境監視システム。
【請求項２】
上記計測手段は、温度、湿度、風速のいずれか少なくとも１つを計測することを特徴とする請求項１記載のエレベータの環境監視システム。
【請求項３】
上記計測手段は、人体に悪影響を与える有害物質の発生状態を計測することを特徴とする請求項１記載のエレベータの環境監視システム。
【請求項４】
上記計測手段は、上記乗りかごに装着自在に設置可能な構造を有することを特徴とする請求項１乃至３のいずれか１つに記載のエレベータの環境監視システム。
【請求項５】
上記計測手段は、上記釣合い錘に装着自在に設置可能な構造を有することを特徴とする請求項１乃至３のいずれか１つに記載のエレベータの環境監視システム。
【請求項６】
上記計測手段によって得られる環境情報を記録する記録手段を備え、
上記計測手段は、所定のタイミングで上記記録手段に記録された環境情報を階床別に分析処理することを特徴とする請求項１記載のエレベータの環境監視システム。
【請求項７】
計測期間に関するスケジュールを記憶したスケジュール記憶手段を備え、
上記処理手段は、上記スケジュール記憶手段に記憶されたスケジュールに従って、上記計測手段から環境情報を取得して階床別に分析処理することを特徴とする請求項１記載のエレベータの環境監視システム。
【発明の詳細な説明】
【技術分野】
【０００１】
本発明は、エレベータに用いられる環境監視システムに係り、特に、建物の縦空間における環境情報を計測する際に用いて好適なエレベータの環境監視システムに関する。
【背景技術】
【０００２】
自然環境について公害問題がクローズアップされている今日、空気中に含まれる一酸化炭素や二酸化硫黄等の有害物質の濃度測定が重要視されている。また、自然環境以外でも、危険なガス、化学物質あるいは粉塵が発生する工場などでは、爆発の危険を回避するために、これらの計測器を設置しておく必要がある。
【０００３】
一般的に、環境調査は、例えば検査対象付近に環境計測装置を取り付けておくか、あるいは、環境計測装置を取り付けた飛行物体を検査環境中に飛ばすことで行われる。計測されたデータは、環境計測装置内の記憶装置に蓄積され、それを作業員が回収するか、その環境計測装置に取り付けられた送信装置を介して監視センタに伝送される。
【０００４】
また、エレベータに用いられる環境計測装置としては、例えば特許文献１，２などが知られている。特許文献１では、建造物の住居者に対して健康面で悪影響を及ぼす環境有害物質を検出するためのセンサを建造物内に設置しておき、そのセンサによって検出された情報を監視センタに送信する構成としている。監視センタでは、上記検出情報から有害物質の発生の可能性等を判定し、その結果を建造物内の共用の場所に表示することで住居者に報知する。
【０００５】
また、特許文献２では、エレベータの制御装置内に温度や時間等の環境情報を計測する計測手段を備え、この計測手段によって計測された情報と運行状態とから走行パターンを最適化することで、低温時における油の粘度特性の変化を起因とした速度応答の低下を改善することが開示されている。
【特許文献１】特開２０００−１９４９６８号公報
【特許文献２】特開平１０−２１８５１０号公報
【発明の開示】
【発明が解決しようとする課題】
【０００６】
上下方向の運行手段として利用されるエレベータでは、高昇降行程になるほど、環境情報の変化の影響を受けやすい。したがって、建物の高さ方向に各階床の環境情報を計測し、その変化に対して迅速に対応する必要がある。
【０００７】
しかしながら、上述した特許文献１，２では、センサ（測定器類）は所定の場所に固定されている。このため、センサが設置された高さに対応した環境情報しか得ることができない。
【０００８】
また、建物の高さ方向に複数のセンサを配置する方法もあるが、建物の階床数に応じたセンサが必要となるため、コスト的に問題がある。
【０００９】
また、飛行物体にセンサを取り付ける方法もあるが、飛行物体の費用がかかる他、計測の度に飛行物体を準備する必要があるため、計測に手間がかかり、また、長時間にわたって監視することは困難であるなどの問題がある。
【００１０】
本発明は上記のような点に鑑みなされたもので、建物の縦空間における環境情報を効率的に計測することのできるエレベータの環境監視システムを提供することを目的とする。
【課題を解決するための手段】
【００１１】
本発明のエレベータの環境監視システムは、建物内の昇降路を昇降動作する乗りかごと、この乗りかごにロープを介して連結され、上記乗りかごの昇降動作に連動して上記昇降路内を移動する釣合い錘と、上記乗りかごまたは上記釣合い錘に設置され、上記乗りかごの昇降動作に伴い、上記建物の高さ方向の環境情報を計測する計測手段と、この計測手段によって得られる環境情報を階床別に分析処理する処理手段とを具備して構成される。
【発明の効果】
【００１２】
本発明によれば、建物の縦空間における環境情報を効率的に計測することができる。
【発明を実施するための最良の形態】
【００１３】
以下、図面を参照して本発明の実施形態を説明する。
【００１４】
図１は本発明の一実施形態に係るエレベータが設置された建物の一例を示す図であり、図中１は建物、２はその建物内に設置されたエレベータを示している。建物１は、例えばオフィスビル、マンションビルなどであり、複数の階床を有する。エレベータ２は、この建物１内に昇降自在に設置されており、各階床間を上下方向に移動する。
【００１５】
ここで、本実施形態における環境監視システムでは、上記エレベータ２の運転動作を利用して、建物１の高さ方向の環境情報を測定することを特徴としている。以下に、その具体的な構成について説明する。
【００１６】
図２はエレベータの環境監視システムの構成を示す図、図３は同システムの乗りかご部分の構成を部分的に示す図である。
【００１７】
建物１に設置されたエレベータ２は、乗りかご１１を有する。この乗りかご１１は、巻上機１２に巻き掛けられたメインロープ１３を介して昇降路１０内を移動する。上記メインロープ１３の他端には、乗りかご１１との重量バランスを図るための釣合い錘１４が連結されており、乗りかご１１の昇降動作に連動して、乗りかご１１とは逆の方向に昇降路１０内をつるべ式に移動する。
【００１８】
ここで、図３に拡大して示すように、乗りかご１１の上部１１ａには、建物１の環境情報を計測するための計測装置１５が設置されている。なお、図中の１６は計測装置１５を支持するためのアーム部材、１７はこのアーム部材１６を介して計測装置１５を乗りかご上部１１ａに固定するための固定部材である。
【００１９】
計測装置１５は、温度、湿度、風速のいずれか少なくとも１つを計測する第１の計測機能を備える。また、この計測装置１５は、人体に悪影響を与える有害物質の発生状態を計測する第２の計測機能を備える。上記人体に悪影響を与える有害物質としては、例えば窒素酸化物、イオウ、一酸化炭素、二酸化硫黄等である。さらに、この計測装置１５は、爆発物に影響を与える空気中の塵の量を計測する第３の計測機能を備える。これらの計測機能のどれを使って計測するのかは、制御装置１８を介して任意に指定可能である。
【００２０】
制御装置１８は、例えばＣＰＵ、ＲＯＭ、ＲＡＭ等を含むコンピュータによって構成され、例えばかごドアの開閉やかご呼びの登録など、当該乗りかご１１の運転に関する各種処理を実行する。また、この制御装置１８は、乗りかご１１の上部１１ａに設置されており、計測装置１５によって測定された各階床の環境情報を伝送ケーブル１９を介して収集する。なお、この制御装置１８の構成については、後に図７を参照して詳しく説明する。
【００２１】
また、図中の２０はテールコードであり、機械室などに設置される主制御装置２１と乗りかご１１とを電気的に接続している。主制御装置２１は、制御盤などとも呼ばれており、乗りかご１１側の制御装置１８と同様に、例えばＣＰＵ、ＲＯＭ、ＲＡＭ等を含むコンピュータによって構成される。この主制御装置２１は、乗りかご１１の運転制御などを含むエレベータ全体の制御を行う。
【００２２】
また、上記計測装置１５によって測定された各階床の環境情報は乗りかご１１側の制御装置１８内に記録された後、テールコード２０を介して主制御装置２１に伝送される。主制御装置２１では、制御装置１８から取得した各階床の環境情報を階床別に分析処理し、例えば有害物質の発生を検知した場合には警報を発するなどの処理を行う。
【００２３】
また、主制御装置２１には、例えば建物内の監視室などに設置された監視装置２２が接続されている。監視装置２２は例えばパソコンからなり、建物１の管理者はこの監視装置２２の画面上でエレベータ２の動作状況を監視することができる。
【００２４】
図４および図５は変形例であり、図４は制御装置１８の機能を主制御装置２１内に組み込んだ場合、図５は制御装置１８の機能を主制御装置２１内に組み込むと共に、計測装置１５を釣合い錘１４に設置した場合の構成を示している。
【００２５】
図４に示すように、制御装置１８の機能を主制御装置２１内に組み込んだ場合には、計測装置１５によって測定された各階床の環境情報は、テールコード２０を介して主制御装置２１に伝送される。主制御装置２１では、その環境情報を図示せぬ記憶装置に記録すると共に、その環境情報の分析処理を実行する。
【００２６】
また、図５に示すように、乗りかご１１と同様に昇降路１０内を昇降動作する釣合い錘１４に計測装置１５を設置しても良い。この場合、例えば計測装置１５に無線通信器を搭載し、この計測装置１５によって測定された各階床の環境情報を無線により制御装置１８または主制御装置２１へ伝送するものとする。
【００２７】
図６は計測装置１５の装着構造の一例を示す図である。
【００２８】
計測装置１５は、乗りかご１１や釣合い錘１４に装着自在に設置可能な構造を有する。具体的には、図６に示すように、計測装置１５の筐体３１を箱状に形成し、その筐体３１を乗りかご１１の上部１１ａに載せる。そして、筐体３１の両端に設けられた鍔部３２のネジ穴３３にネジ３４を嵌入することで固定する。なお、計測装置１５を釣合い錘１４に装着する場合も同様であり、ネジ締め等により簡単に装着することができる。
【００２９】
図７は制御装置１８の構成を示すブロック図である。
【００３０】
制御装置１８は、制御部４１、記録部４２、インタフェース部４３、スケジュール記憶部４４から構成される。
【００３１】
制御部４１は、計測装置１５によって測定された各階床の環境情報を取得する処理、その環境情報を記録部４３に記録する処理、主制御装置２１に伝送する処理などを行う。記録部４２は、例えばハードディスク等の大容量の記憶装置からなり、計測装置１５にて得られた各階床の環境情報を記録、保存する。インタフェース部４２は、主制御装置２１との間のデータの送受信処理を行う部分であり、ここでは主制御装置２１から測定条件や測定開始の信号などを受信すると共に、計測装置１５にて得られた各階床の環境情報などを主制御装置２１に送信する。
【００３２】
次に、同実施形態の動作について説明する。
【００３３】
図８は同実施形態におけるエレベータの環境監視システムの動作を示すフローチャートであり、主として制御装置１８で実行される処理の流れが示されている。なお、システム構成としては、図２の構成を想定して説明する。
【００３４】
まず、環境情報を測定するに際し、測定条件の入力を行う（ステップＳ１１）。これは、上述した計測装置１５に備えられた第１〜第３の計測機能のどれを使って、何を計測するのか、また、計測期間（計測開始時間，計測終了時間）、計測対象階などを入力するものであり、作業員が所定の操作により主制御装置２１を通じて入力する。
【００３５】
ここで、上記計測期間として予め指定された計測開始時間になると（ステップＳ１２のＹｅｓ）、乗りかご１１の運転モードが通常モードから測定モードに切り替えられる（ステップＳ１４）。なお、通常モードとは、通常の運転サービス、つまり、乗場呼びやかご呼びに応答して乗りかご１１を運転するモードである（ステップＳ１３）。これに対して、測定モードは、環境測定のための特殊な運転モードのことであり、例えば建物１の全階床が計測対象階として指定されていた場合には、最下階から最上階までを所定の速度で乗りかご１１が往復運転することになる。
【００３６】
この測定モードの切り替えにより計測装置１５が起動され、環境測定に必要な機器類の準備が完了した時点で、計測装置１５による環境情報の測定処理が開始される（ステップＳ１６）。このとき、乗りかご１１は測定モードで運転されており、その乗りかご１１の昇降動作に伴い、建物１の高さ方向に各階床の環境情報が連続的に計測される。制御装置１８では、この計測装置１５から各階床の環境情報を取得することにより（ステップＳ１７）、その環境情報を記録部４２に順次記録する（ステップＳ１８）。
【００３７】
上記計測期間の間、計測装置１５による測定処理が繰り返され、そのときに得られる各階床の環境情報が記録部４２に順次記録される。そして、予め指定された計測終了時間になると（ステップＳ１９のＹｅｓ）、記録部４２に記録された各階床の環境情報はテールコード２０を介して主制御装置２１に伝送される（ステップＳ２０）。
【００３８】
主制御装置２１では、上記環境情報を階床別に分析処理し、その分析結果を監視装置２２の画面上に表示させるなどの所定の処理を行う（ステップＳ２１）。
【００３９】
具体的に説明すると、上記測定条件として、計測装置１５の第１の計測機能を使って温度、湿度、風速を計測することが指定されていたとすると、乗りかご１１の昇降動作に伴って、計測装置１５から各階床の温度、湿度、風速の環境情報が得られる。この環境情報を階床毎に分析することにより、例えば温度が異常に高い階（所定温度を超える階）、湿度が異常に高い階（所定湿度を超える階）、風が異常に強い階（所定風速を超える階）を検出した場合に、その旨の警告を表示するなどの対策を講じることが可能となる。
【００４０】
また、計測装置１５の第２の計測機能を使って人体に悪影響を与える有害物質の発生状態を計測する場合であれば、例えば窒素酸化物、イオウなど、予め指定された有害物質の発生の有無を階床毎に分析し、有害物質が発生している階床を検出した場合に警告を表示するなどである。なお、このような有害物質は、当該建物１の各階床から発生するだけでなく、例えば工場などが周囲に存在すれば、そこから発生している場合もある。このように、周囲から発生する有害物質が当該建物１に流れ込んでいる場合も含めて、上記計測装置１５の第２の計測機能にて計測を行うものとする。
【００４１】
また、計測装置１５の第３の計測機能を使って爆発物に影響を与える空気中の塵の量を計測する場合であれば、塵の量を階床毎に分析し、爆発物が載置された階床の塵の量が所定量を超えた場合に警告を表示するなどの対策を講じることが可能となる。
【００４２】
このように、乗りかご１１に計測装置１５を設置しておくことで、建物１の高さ方向に各階床の環境情報を効率的に取得することができる。これにより、その環境情報を階床別に分析処理して、何らかの異常を検出した場合に迅速に対処することができる。
【００４３】
なお、図４に示したように制御装置１８の機能を主制御装置２１に組み込むことでも良く、その場合には上記ステップＳ２０での環境情報の伝送処理は不要であり、計測終了後に直ちに環境情報の階床別に分析処理が実行される。
【００４４】
また、図５に示したように、計測装置１５を釣合い錘１４に設置しておくことでも、上記同様に建物１の高さ方向に各階床の環境情報を簡単に取得することができる。
【００４５】
また、計測装置１５に備えられた第１〜第３の計測機能を任意選択的に組み合わせて計測を行っても良いし、さらに、上記第１〜第３の計測機能以外の計測を行う構成にしても良い。
【００４６】
また、上記実施形態では、測定モードの切り替えにより、乗りかご１１を特殊運転して各階床の環境情報を取得するものとしたが、通常の運転モードで乗りかご１１が移動しているときに各階床の環境情報を取得することでも良い。
【００４７】
また、上記実施形態では、乗りかご１１の昇降動作に伴って計測装置１５から得られる各階床の環境情報を記録部４２に蓄積しておき、所定のタイミングで、その記録部４２に記録された環境情報を主制御装置２１に伝送して分析処理する構成としたが、上記計測装置１５から得られる各階床の環境情報を制御装置１８内で分析処理するようにしても良い。
【００４８】
また、上記実施形態では、計測開始および計測終了のタイミングを作業員が所定の操作により入力するものとしたが、予め計測期間を定めたスケジュール情報をスケジュール記憶部４４に登録しておき、そのスケジュール情報に従って測定処理を行うようにしても良い。これにより、例えば６：００〜６：３０、１２：００〜１２：３０、１８：００〜１８：３０といったように、その都度、作業員が計測のタイミングを指定しなくとも、毎日、予め決められた時間帯で測定処理を行うことができる。この場合、計測対象階をスケジュール情報に含ませておけば、当該スケジュール情報に基づいて計測対象階の環境情報を取得することもできる。
【００４９】
さらに、図９に示すように、多数の建物１ａ，１ｂ，１ｃの各階床の環境情報を監視センタ６２にて遠隔的に監視するようなシステムを構築することも可能である。この場合、建物１ａ，１ｂ，１ｃ内のエレベータの乗りかご１１ａ，１１ｂ，１１ｃまたは釣合い錘１４ａ，１４ｂ，１４ｃに計測装置１５ａ，１５ｂ，１５ｃが設置され、その計測装置１５ａ，１５ｂ，１５ｃによって測定された各階床の環境情報がネットワーク６１を介して監視センタ６２で送信される。監視センタ６２では、これらの環境情報を建物別にデータベース６３に蓄積する。そして、建物別に環境情報を分析処理することで、何らかの異常を検出した際に上述したような警報等の対応を行う。
【００５０】
要するに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の形態を形成できる。例えば、実施形態に示される全構成要素から幾つかの構成要素を省略してもよい。さらに、異なる実施形態にわたる構成要素を適宜組み合わせてもよい。
【図面の簡単な説明】
【００５１】
【図１】図１は本発明の一実施形態に係るエレベータが設置された建物の一例を示す図である。
【図２】図２は同実施形態におけるエレベータの環境監視システムの構成を示す図である。
【図３】図３は同実施形態におけるエレベータの環境監視システムの乗りかご部分の構成を示す図である。
【図４】図４は同実施形態におけるエレベータの環境監視システムの変形例として制御装置の機能を主制御装置内に組み込んだ場合の構成を示す図である。
【図５】図５は同実施形態におけるエレベータの環境監視システムの変形例として計測装置を釣合い錘に設置した場合の構成を示す図である。
【図６】図６は同実施形態における計測装置の装着構造の一例を示す図である。
【図７】図７は同実施形態における制御装置の構成を示すブロック図である。
【図８】図８は同実施形態におけるエレベータの環境監視システムの動作を示すフローチャートである。
【図９】図９は多数の建物の環境情報を遠隔監視する場合のシステム構成例を示す図である。
【符号の説明】
【００５２】
１…建物、２…エレベータ、１０…昇降路、１１…乗りかご、１２…巻上機、１３…メインロープ、１４…釣合い錘、１５…計測装置、１６…アーム部材、１７…固定部材、１８…制御装置、１９…伝送ケーブル、２０…テールコード、２１…主制御装置、２２…監視装置、３１…筐体、３２…鍔部、３３…ネジ穴、３４…ネジ、４１…制御部、４２…記録部、４３…インタフェース部、４４…スケジュール記憶部、１ａ〜１ｃ…建物、１４ａ〜１４ｃ…釣合い錘、１５ａ〜１５ｃ…計測装置、６１…ネットワーク、６２…監視センタ、６３…データベース。
【図１】
2007137606.tif 000003
【図２】
2007137606.tif 000004
【図３】
2007137606.tif 000005
【図４】
2007137606.tif 000006
【図５】
2007137606.tif 000007
【図６】
2007137606.tif 000008
【図７】
2007137606.tif 000009
【図８】
2007137606.tif 000010
【図９】
2007137606.tif 000011